(57)【要約】【課題】植物を見栄え良く簡単にディスプレイすることができ、植物の手入れが簡単なディスプレイ容器を提供すること。【解決手段】複数の植物４を室内にディスプレイするためのディスプレイ容器１に凹部１ａを直方体形状に設ける。ディスプレイ容器１は、植物４を育成するものであって、直径１０５ｍｍ以下、高さ９０ｍｍ以下の軟質性鉢５を凹部１ａに複数並べて配置され、植物４が軟質性鉢５ごと凹部１ａに配置される。凹部１ａの高さは、軟質性鉢の高さより１０〜３０ｍｍ大きい。そのため、ディスプレイ容器４は、軟質性鉢５が外から見えない。よって、ディスプレイ容器１は、植物４を見栄え良く簡単にディスプレイできる。水やり時に植物４に与えた水は、凹部１ａに溜まってディスプレイ容器１の外に漏れないため、漏れた水を拭き取る手間などがかからず、植物４の手入れが簡単である。【選択図】 図１
0003141754.tif 000002
【実用新案登録請求の範囲】
【請求項１】
複数の植物を室内にディスプレイするためのディスプレイ容器であって、
前記植物を育成するものであって、直径１０５ｍｍ以下、高さ９０ｍｍ以下の軟質性鉢を複数並べて収容可能な凹部を有し、
前記凹部の高さが、前記軟質性鉢の高さより１０〜３０ｍｍ大きい
ことを特徴とするディスプレイ容器。
【請求項２】
複数の植物を室内にディスプレイするためのディスプレイ容器であって、
前記植物を育成するものであって直径１０５ｍｍ以下、高さ９０ｍｍ以下の軟質性ポリ鉢を、縦横に複数密着させて収容可能な直方体形状の凹部を有し、
前記凹部の高さが、前記ポリ鉢の高さより１０〜３０ｍｍ大きい
ことを特徴とするディスプレイ容器。
【請求項３】
請求項１又は請求項２に記載するディスプレイ容器において、
土器であって、少なくとも前記凹部の内壁に釉薬が施されている
ことを特徴とするディスプレイ容器。
【請求項４】
請求項１乃至請求項３の何れか１つに記載するディスプレイ容器において、
前記凹部の底と前記鉢又は前記ポリ鉢との間に配置されて前記軟質性鉢又はポリ鉢の高さを調整する高さ調整手段を有する
ことを特徴とするディスプレイ容器。
【請求項５】
請求項１乃至請求項４の何れか１つに記載するディスプレイ容器において、
前記凹部の開口部外側に鍔部が設けられ、
前記鍔部は、前記植物から落ちた葉や花を受けて前記ディスプレイ容器の外に落下させない幅を有する
ことを特徴とするディスプレイ容器。
【考案の詳細な説明】
【技術分野】
【０００１】
本考案は、植物をディスプレイするためのディスプレイ容器に関する。
【背景技術】
【０００２】
植物には、空気清浄、マイナスイオンの発生、ヒーリング効果などがあることが知られ、屋外のみならず、屋内にディスプレイされるようになっている。そして、植物は、葉や花の形状や色に個性があり、インテリアアイテムの１つとして活用されている。植物は、例えば、ポリエチレン製のポリ鉢に育成された状態で出荷され、花屋やホームセンター、スーパーなどで販売される。需用者は、好みの植物を購入し、園芸用の土を入れた植木鉢に、ポリ鉢から抜き出した植物を植え替える。植木鉢には、通常、水抜き孔が形成されているので、植物を室内に飾る場合には、植木鉢の下に受け皿を置いて植物をディスプレイする。
【考案の開示】
【考案が解決しようとする課題】
【０００３】
しかしながら、従来の植木鉢は、以下の問題があった。
（１）従来の植木鉢は、受け皿の上に無造作に置かれ、美感性が悪かった。
（２）従来の植木鉢は、如雨露などで植物に水を与え過ぎたときに、水抜き孔からしみだした水を受け皿で受けきれず、植木鉢が載置されているテーブルなどを汚すことがあった。水やりした水は、植木鉢の土を通過して汚れている。これを放置すると不衛生であるため、零れた水を拭き取って清掃する必要があった。
（３）従来の植木鉢は、購入した植物をポリ鉢から抜き出し、植木鉢に入れた土に植え替えていた。そのため、植物をディスプレイするためには、土を準備し、手を土で汚して植物を植え替えた後、土などを後片づけしなければならず、手間がかかっていた。
【０００４】
本考案は、上記問題点を解決するためになされたものであり、植物を見栄え良く簡単にディスプレイすることができ、植物の手入れが簡単なディスプレイ容器を提供することを目的とする。
【課題を解決するための手段】
【０００５】
本考案に係るディスプレイ容器は、次のような構成を有している。
（１）複数の植物を室内にディスプレイするためのディスプレイ容器であって、前記植物を育成するものであって、直径１０５ｍｍ以下、高さ９０ｍｍ以下の軟質性鉢を複数並べて収容可能な凹部を有し、前記凹部の高さが、前記軟質性鉢の高さより１０〜３０ｍｍ大きい。
【０００６】
（２）複数の植物を室内にディスプレイするためのディスプレイ容器であって、前記植物を育成するものであって直径１０５ｍｍ以下、高さ９０ｍｍ以下の軟質性ポリ鉢を、縦横に複数密着させて収容可能な直方体形状の凹部を有し、前記凹部の高さが、前記ポリ鉢の高さより１０〜３０ｍｍ大きい。
【０００７】
（３）（１）又は（２）に記載の考案において、土器であって、少なくとも前記凹部の内壁に釉薬が施されている。
【０００８】
（４）（１）乃至（３）の何れか１つに記載の考案において、前記凹部の底と前記鉢又は前記ポリ鉢との間に配置されて前記軟質性鉢又はポリ鉢の高さを調整する高さ調整手段を有する。
【０００９】
（５）（１）乃至（４）の何れか１つに記載の考案において、前記凹部の開口部外側に鍔部が設けられ、前記鍔部は、前記植物から落ちた葉や花を受けて前記ディスプレイ容器の外に落下させない幅を有する。
【考案の効果】
【００１０】
上記ディスプレイ容器は、植物を育成するものであって、直径１０５ｍｍ以下、高さ９０ｍｍ以下の軟質性鉢を凹部に複数並べられて収容し、植物をディスプレイする。凹部の高さは、軟質性鉢の高さより１０〜３０ｍｍ大きい。そのため、ディスプレイ容器は、軟質性鉢が外から見えないように植物をディスプレイする。ディスプレイ容器には、水抜き孔がなく、受け皿を設ける必要がない。よって、ディスプレイ容器は、植物を見栄え良く簡単にディスプレイすることができる。そして、ディスプレイ容器は、各植物に与えた水が凹部に溜まり、ディスプレイ容器の外に漏れないため、水やり時に周りを汚さず、手入れが簡単である。従って、本考案のディスプレイ容器によれば、植物を見栄え良く簡単にディスプレイすることができ、植物の手入れを簡単に行うことができる。
【００１１】
特に、ディスプレイ容器は、軟質性のポリ鉢を互いに密着するように直方体形状の凹部に収容するようにすれば、植物を密集させて配置することが可能である。このようなディスプレイ容器によれば、複数の植物を違和感なく簡単に寄せ集めてディスプレイすることができる。
【００１２】
ディスプレイ容器が土器である場合には、凹部の内壁に釉薬を施すことが望ましい。これにより、ディスプレイ容器の土器部分が給水しやすくても、凹部の内壁に施した釉薬の防水効果により、軟質性鉢又はポリ鉢の水抜き孔から凹部に排出された水が、凹部内壁に浸み込んで外部に漏れることを防止できる。
【００１３】
また、ディスプレイ容器は、凹部の底と軟質性鉢又はポリ鉢との間に配置されて軟質性鉢又はポリ鉢の高さを調整する高さ調整手段を有するので、鉢の高さに高低差をつけて植物を立体的にディスプレイすることができる。
【００１４】
更に、ディスプレイ容器は、凹部の開口部外側に鍔部が設けられ、その鍔部が、植物から落ちた葉や花を受けてディスプレイ容器を載置する載置台に落下させない幅を有する。よって、ディスプレイ容器は、鍔部を持って持ち運びやすいばかりでなく、植物から落ちた葉や花を鍔部で受けて載置台などを汚さない。
【考案を実施するための最良の形態】
【００１５】
次に、本考案に係るディスプレイ容器の一実施形態について図面を参照して説明する。図１は、本考案の実施形態に係るディスプレイ容器１の断面図であって、植物４をディスプレイしている状態を示す。図２は、図１に示すディスプレイ容器１の外観斜視図である。
ディスプレイ容器１は、図１に示すように、複数のポット苗３を凹部１ａに複数並べて収容し、図２に示すように、植物４をディスプレイするものである。ディスプレイ容器１は、例えばリビングのテーブルや鉢置き台、出窓などに載置されて、植物４を室内にディスプレイする。
【００１６】
図１に示すように、ポット苗３は、土６（図３参照）が入れられたポリ鉢５に植物４を育成するものであり、花屋やホームセンター、スーパーなどに出荷されて販売されている。尚、ポット苗３は、家庭において種をポリ鉢５の土に植えて育てた植物４であっても良い。ポリ鉢５は、ポリエチレンを肉厚の薄いコップ形状にした軟質性鉢である。ポリ鉢５の底には、水抜き孔が形成されている。
【００１７】
ポット苗３は、凹部１ａに敷設された軽石２の上に配置されている。軽石２は、粒状をなし、凹部１ａの底に積み上げる量に応じてポット苗３のポリ鉢５の高さを調整するものである。この意味で、軽石２は、「高さ調整手段」の一例になり得る。
【００１８】
図３は、図１に示すディスプレイ容器１に植物４をディスプレイする方法を説明するための図である。
ディスプレイ容器１は、陶土その他で形を作って素焼きした土器に、釉薬をかけて焼いた陶器である。ディスプレイ容器１は、略直方体形状をなす。ディスプレイ容器１は、直方体形状の凹部１ａが中央に形成され、凹部１ａの開口部外周に沿って鍔部１ｂが設けられている。ディスプレイ容器１は、凹部１ａの内壁を含め、表面全体に釉薬がかけられている。釉薬は、ディスプレイ容器１の美観性を向上させる役割と、凹部１ａから水漏れすることを防止する防水加工としての役割を果たしている。
【００１９】
図４は、図１に示すディスプレイ容器１の上面図であって、ポリ鉢５が並んだ状態を示す。
凹部１ａは、直径が１０５ｍｍ以下、高さが９０ｍｍ以下のポリ鉢５を縦横に複数並べて収容できるように、直方体形状に設けられている。本実施形態では、直径９０ｍｍ、高さ７５ｍｍのポリ鉢５を変形させて縦に３個、横に５個きっちり並べられるように、凹部１ａの縦幅を２００ｍｍ、横幅を３００ｍｍとしている。
【００２０】
図１に示すように、凹部１ａの深さは、ポリ鉢５の高さより１０〜３０ｍｍ大きい。本実施形態では、高さ７５ｍｍのポリ鉢５に対応させて、凹部１ａの深さを１００ｍｍとしている。
【００２１】
鍔部１ｂは、鍔部１ｂを持ってディスプレイ容器１を持ち上げても割れない程度の強度を確保するように、設けられている。鍔部１ｂの幅は、植物から落ちた葉や花を受けてディスプレイ容器の外に落下させない幅を有する。そして、鍔部１ｂは、ディスプレイ容器１の美感を損なわず、周りの邪魔にならない幅を有する。例えば、鍔部１ｂの幅は、４０ｍｍ〜７０ｍｍとすることが望ましい。本実施形態では、鍔部１ｂの幅を５０ｍｍとしている。
【００２２】
このようなディスプレイ容器１は、次のようにして植物４をディスプレイする。
図３に示すように、ディスプレイ容器１は、凹部１ａに軽石２が入れられる。このとき、軽石２は、平らに並べても良いし、好みの場所を隆起させるように並べてもよい。ここでは、図１に示すように、中央部分が隆起するように、軽石２を凹部１ａの底に並べる。それから、例えば、背が高い植物４のポット苗３を中央に配置し、背の低い植物４のポット苗３を凹部１ａの縁に沿って配置する。つまり、ディスプレイ容器１は、植物４が、ポリ鉢５から抜き出されることなく、ポリ鉢５ごと凹部１ａに収容される。凹部１ａには、図４に示すようにポリ鉢５を丸い筒状から四角い筒状に変形させて互いに密着させた状態で、ポット苗３が配置される。
【００２３】
このように植物４をディスプレイしたディスプレイ容器１は、図１に示すように、凹部１ａの深さがポリ鉢５の高さより１０〜３０ｍｍ大きいため、図２に示すように、ポリ鉢５が凹部１ａの側面に隠されて見えない。しかも、ディスプレイ容器１は、軽石２によって中央のポット苗３を高く配置し、凹部１ａの縁付近のポット苗３を低く配置して、植物４が立体的に配置される。
【００２４】
ディスプレイ容器１は、表面に釉薬が施されて美感性がよいため、部屋のインテリアになじみやすい。また、植物４は、美感性の良いディスプレイ容器１に引き立てられてより一層美しさが際立つ。
【００２５】
ここで、ディスプレイ容器１は、陶器製で重量がある。そのため、背が高い植物４を育成するポット苗３が凹部１ａに収容されてもガタついたり、傾くことがない。
【００２６】
ところで、ディスプレイ容器１の植物４に水やりをする場合には、霧吹きで植物４に水を吹きかける。また、植物４に肥料を与える場合には、液肥を水に混ぜて霧吹きで植物４に吹きかける。
【００２７】
植物４に与えた水のうち余分な水は、ポリ鉢５の土６を通って水抜き孔から凹部１ａへ排出される。凹部１ａの内壁には釉薬が施されて防水されているため、水が凹部１ａに浸み込んでディスプレイ容器１の外に漏れることはない。
【００２８】
このようにディスプレイ容器１で植物４を育てていると、植物４の葉や花が落ちてくる。この場合でも、ディスプレイ容器１は、鍔部１ｂが落ちる葉や花を受けてディスプレイ容器１の外に落ちにくくするので、ディスプレイ容器１が載置されるテーブルや鉢置き台、出窓などを汚しにくい。
【００２９】
ところで、ディスプレイ容器１は、植物４がポリ鉢５に入れられているため、各植物４の根が絡み合わず、植物４をポリ鉢５と共に簡単に出し入れできる。このようなディスプレイ容器１は、例えば、植物４の雰囲気を変えたり、植物４への日の当たり具合を調整するために、植物４の配置を変更をしたい場合には、全て又は幾つかのポット苗３を凹部１ａから取り出して並べ替えれば、簡単に配置変更できる。また、例えば、ディスプレイ容器１の植物４が枯れた場合でも、枯れた植物４のポット苗３のみを取り出して、別の植物４のポット苗３に変えることができる。
【００３０】
以上説明したように、上記ディスプレイ容器１は、植物４を育成するものであって、直径１０５ｍｍ以下、高さ９０ｍｍ以下の軟質性のポリ鉢５を凹部１ａに複数並べられて収容し、植物４をディスプレイする。凹部１ａの高さは、ポリ鉢５の高さより１０〜３０ｍｍ大きい。そのため、ディスプレイ容器１は、ポリ鉢５が外から見えないように植物４をディスプレイする。ディスプレイ容器１には、水抜き孔がなく、受け皿を設ける必要がない。よって、ディスプレイ容器１は、植物４を見栄え良く簡単にディスプレイすることができる。そして、ディスプレイ容器１は、各植物４に与えた水が凹部１ａに溜まり、ディスプレイ容器１の外に漏れないため、水やり時に周りを汚さず、手入れが簡単である。従って、本考案のディスプレイ容器１によれば、植物４を見栄え良く簡単にディスプレイすることができ、植物の手入れを簡単に行うことができる。
【００３１】
特に、ディスプレイ容器１は、ポリ鉢５を変形させて互いに密着するように直方体形状の凹部１ａに収容するので、植物４を密集させて配置することが可能である。このようなディスプレイ容器１によれば、複数の植物４を違和感なく簡単に寄せ集めてディスプレイすることができる。
【００３２】
ディスプレイ容器１は、土器であって、凹部１ａの内壁に釉薬が施されている。このようなディスプレイ容器１は、土器部分が給水しやすくても、凹部１ａの内壁に施した釉薬の防水効果により、ポリ鉢５の水抜き孔から凹部１ａに排出された水が、凹部１ａの内壁に浸み込んで外部に漏れることを防止できる。
【００３３】
また、ディスプレイ容器１は、凹部１ａの底とポリ鉢５との間に配置されてポリ鉢５の高さを調整する軽石２を有するので、ポリ鉢５の高さに高低差をつけて植物４を立体的にディスプレイすることができる。
【００３４】
更に、ディスプレイ容器１は、凹部１ａの開口部外側に鍔部１ｂが設けられ、その鍔部１ｂが、植物４から落ちた葉や花を受けてディスプレイ容器１を載置する載置台に落下させない幅を有する。よって、ディスプレイ容器１は、鍔部１ｂを持って持ち運びやすいばかりでなく、植物４から落ちた葉や花を鍔部１ｂで受けて載置台などを汚さない。
【００３５】
尚、本考案は、上記実施形態に限定されることなく、色々な応用が可能である。
（１）例えば、上記実施形態では、軽石２でポット苗３の高さを調整したが、ボール状の焼き物・ガラス等や、立方体形状の台などで、ポット苗３の高さを調整しても良い。
（２）例えば、上記実施形態では、植物４の見栄えを良くするために軽石２でポット苗３を高さ調整したが、軽石２はなくても良い。
（３）例えば、上記実施形態では、ディスプレイ容器１を陶器で設けたが、プラスチックやガラス、各種焼き物などで設けてもよい。
（４）例えば、上記実施形態では、ディスプレイ容器１を直方体形状にした。これに対して、図５に示すディスプレイ容器２１のように半球形状にしてもよい。ディスプレイ容器２１は、脚２０cを設けて安定性や装飾性を良くすると良い。この他、ディスプレイ容器の形状は、三角形や六角形などの多角形、筒形状、楕円形状等であっても良い。
（５）例えば、上記実施形態では、ポリエチレン製の軟質性ポリ鉢５を「軟質性鉢」の一例として挙げたが、軟質であれば、材質をポリエチレンに限定しない。
（６）例えば、上記実施形態では、ポリ鉢５を凹部１ａに１５個配置したが、ポリ鉢５の数はこれに限定されない。
【図面の簡単な説明】
【００３６】
【図１】本考案の実施形態に係るディスプレイ容器の断面図であって、植物をディスプレイしている状態を示す。
【図２】図１に示すディスプレイ容器の外観斜視図である。
【図３】図１に示すディスプレイ容器に植物をディスプレイする方法を説明するための図である。
【図４】図１に示すディスプレイ容器の上面図であって、ポリ鉢が並んだ状態を示す。
【図５】図１に示すディスプレイ容器の変形例を示す図である。
【符号の説明】
【００３７】
１  ディスプレイ容器
１ａ  凹部
１ｂ  鍔部
２  軽石（高さ調整手段）
４  植物
５  ポリ鉢（軟質性鉢）
【図１】
0003141754.tif 000003
【図２】
0003141754.tif 000004
【図３】
0003141754.tif 000005
【図４】
0003141754.tif 000006
【図５】
0003141754.tif 000007